(57)【要約】      （修正有）【課題】防曇のための電力消費が抑えられた撮像装置を提供する。【解決手段】撮像装置は、外部からの入射光を透過する１つ以上のレンズ４と、１つ以上のレンズを透過した光を受光する撮像素子６Ａを有する撮像部６と、１つ以上のレンズのうち少なくとも１つのレンズと撮像部とを結ぶように設けられた熱伝導部材２２を備える。【効果】使用時には撮像素子が発熱し、この熱が熱伝導部材を介してレンズまで到達する。これにより、バッテリーの電力を防曇用に使用することなく、レンズを加熱して防曇することができる。【選択図】図１
2020136747.tif 000002
【特許請求の範囲】
【請求項１】
外部からの入射光を透過する１つ以上の透過部材と、
前記透過部材を透過した光を受光する撮像素子を有する撮像部と、を備えた撮像装置であって、
さらに、１つ以上の前記透過部材うち少なくとも１つの透過部材と前記撮像部とを結ぶように設けられた熱伝導部材を備える、
ことを特徴とする撮像装置。
【請求項２】
前記熱伝導部材は、１つ以上の前記透過部材のうち最も被写体側に配置される透過部材と前記撮像部とを結ぶように設けられている、
請求項１に記載の撮像装置。
【請求項３】
前記熱伝導部材は、前記透過部材の周縁部に当接する環状部材を有する、
請求項１又は２に記載の撮像装置。
【請求項４】
前記撮像部は、前記撮像素子に取り付けられた放熱部材を有し、
前記熱伝導部材は、前記放熱部材に当接するように設けられている、
請求項１〜３の何れか１項に記載の撮像装置。
【請求項５】
前記熱伝導部材は、フレキシブルプリント基板、又は、グラファイトシートを有する、
請求項１〜４の何れかに記載の撮像装置。
【請求項６】
撮像素子を有する撮像部を含む撮像装置本体に取り付けられて用いられるレンズ鏡筒であって、
前記撮像装置本体に取り付けるためのレンズ側マウントと、
外部からの入射光を透過する１つ以上の透過部材と、
前記レンズ側マウントと、１つ以上の前記透過部材のうち少なくとも１つの透過部材とを結ぶように設けられた熱伝導部材と、を備える、
ことを特徴とするレンズ鏡筒。
【請求項７】
前記熱伝導部材は、１つ以上の前記透過部材のうち最も被写体側に配置される透過部材と前記撮像部とを結ぶように設けられている、
請求項６に記載のレンズ鏡筒。
【請求項８】
前記熱伝導部材は、前記透過部材の周縁部に当接する環状部材を有する、
請求項６又は７に記載のレンズ鏡筒。
【請求項９】
前記熱伝導部材は、フレキシブルプリント基板、又は、グラファイトシートを有する、
請求項６〜８の何れかに記載のレンズ鏡筒。
【発明の詳細な説明】
【技術分野】
【０００１】
本発明は、撮像装置、及び、レンズ鏡筒に関する。
【背景技術】
【０００２】
近年、ドローンなどに搭載可能な小型の撮像装置が開発され、上空など様々な環境下で使われるようになっている。このような撮像装置はレンズなどの透過部材と、イメージセンサとを備えるが、透過部材の両面に温度差を生じるような場合や使用温度が急激に変化した場合には、透過部材に曇りが生じてしまうことがある。
【０００３】
このようなレンズなどの透過部材の曇りを防止する防曇機能を備えた撮像装置に関して、例えば、特許文献１には、ヒータにより透過部材を外周側から加熱することにより曇りを防止する構成が開示されている。また、特許文献２には、ヘリコプターなどにカメラを取り付けて撮像するための装置に関して、カメラの向きを変更するためのサーボモータにおいて発生した熱をファンによりガラスまで送って曇りを防止する構成が開示されている。
【先行技術文献】
【特許文献】
【０００４】
【特許文献１】特開２０１８−１８５４３５号公報
【特許文献２】特開２０１２−２８９７４号公報
【発明の概要】
【発明が解決しようとする課題】
【０００５】
しかしながら、特許文献１に記載された装置ではヒータを駆動するために電力を消費してしまい、特許文献２に記載された装置ではファンを駆動するために電力を消費してしまう。このように特許文献１、２に記載された撮像装置では、防曇のためにバッテリーの電力が消費されてしまい、駆動時間が短くなってしまうという問題がある。また、防曇のために特別な機構を設ける必要があり、撮像装置やそれを搭載する飛行機体が大型化してしまう。
【０００６】
本発明は上記の課題に鑑みなされたものであり、その目的は、防曇のための電力消費が抑えられた撮像装置及びレンズ鏡筒を提供することである。
【課題を解決するための手段】
【０００７】
本発明は、外部からの入射光を透過する１つ以上の透過部材と、透過部材を透過した光を受光する撮像素子を有する撮像部と、を備えた撮像装置であって、さらに、１つ以上の透過部材うち少なくとも１つの透過部材と撮像部とを結ぶように設けられた熱伝導部材を備える、ことを特徴とする。
【０００８】
上記構成の本発明の撮像装置によれば、使用時には撮像素子が発熱し、この熱が熱伝導部材を介して透過部材まで到達する。これにより、バッテリーの電力を防曇用に使用することなく、透過部材を加熱して防曇することができる。また、撮像素子の熱が透過部材に逃げるため、撮像素子における発熱に起因する熱ノイズを防ぐこともできる。また、最小限の構成で防曇することができるため、撮像装置やそれを搭載する飛行機体の大型化を抑えることができる。
【０００９】
また、本発明において、好ましくは、熱伝導部材は、１つ以上の透過部材のうち最も被写体側に配置される透過部材と撮像部とを結ぶように設けられている。
曇りは、最も被写体側に配置される透過部材に最も発生しやすい。これに対して、上記構成の本発明によれば、熱伝導部材が最も被写体側に配置される透過部材と撮像部とを結ぶように設けられているため、より効率よく防曇できる。
【００１０】
また、本発明の撮像装置は、好ましくは、熱伝導部材は、透過部材の周縁部に当接する環状部材を有する。
上記構成の本発明によれば、透過部材を周縁部から環状に加熱することができ、均等な加熱が可能になる。
【００１１】
また、本発明の撮像装置は、撮像部は、撮像素子に取り付けられた放熱部材を有し、熱伝導部材は、放熱部材に当接して設けられている。
このような構成の本発明によれば、撮像素子の熱を確実に透過部材に伝達できるとともに、撮像素子が過剰に高温になるのを防止できる。
【００１２】
また、本発明の撮像装置は、好ましくは、熱伝導部材は、フレキシブルプリント基板、又は、グラファイトシートを有する。
上記の構成に本発明によれば、フレキシブルプリント基板、又は、グラファイトシートは熱伝導性が高いため、撮像部で発生した熱を確実に透過部材に伝達することができる。
【００１３】
本発明は、撮像素子を有する撮像部を含む撮像装置本体に取り付けられて用いられるレンズ鏡筒であって、撮像装置本体に取り付けるためのレンズ側マウントと、外部からの入射光を透過する１つ以上の透過部材と、レンズ側マウントと、１つ以上の透過部材のうち少なくとも１つの透過部材とを結ぶように設けられた熱伝導部材と、を備える、ことを特徴とする。
【００１４】
上記構成の本発明のレンズ鏡筒によれば、使用時に撮像素子が発熱すると、この熱を受けてレンズ側マウントが加熱される。そして、レンズ側マウントが受けた熱が熱伝導部材を介していて透過部材まで到達する。これにより、バッテリーの電力を防曇用に使用することなく、透過部材を加熱して防曇することができる。また、最小限の構成で防曇することができるため、撮像装置やそれを搭載する飛行機体の大型化を抑えることができる。
【００１５】
本発明において、好ましくは、熱伝導部材は、１つ以上の前記透過部材のうち最も被写体側に配置される透過部材と撮像部とを結ぶように設けられている。
曇りは、最も被写体側に配置される透過部材に最も発生しやすい。これに対して、上記構成の本発明によれば、熱伝導部材が最も被写体側に配置される透過部材と撮像部とを結ぶように設けられているため、より効率よく防曇できる。
【００１６】
本発明のレンズ鏡筒は、好ましくは、熱伝導部材は、透過部材の周縁部に当接する環状部材を有する。
上記構成の本発明によれば、透過部材を周縁部から環状に加熱することができ、均等な加熱が可能になる。
【００１７】
本発明のレンズ鏡筒は、好ましくは、熱伝導部材は、フレキシブルプリント基板、又は、グラファイトシートを有する。
上記の構成に本発明によれば、フレキシブルプリント基板、又は、グラファイトシートは熱伝導性が高いため、撮像部で発生した熱を確実に透過部材に伝達することができる。
【発明の効果】
【００１８】
本発明によれば、防曇のための電力消費が抑えられた撮像装置及びレンズ鏡筒を提供することができる。
【図面の簡単な説明】
【００１９】
【図１】本発明の第１実施形態による撮像装置を示す光軸方向の鉛直断面図である。
【図２】図１に示す撮像装置の斜視分解図である。
【図３】本発明の第２実施形態によるレンズ鏡筒と、カメラ本体とからなる撮像装置を示す水平断面図である。
【図４】図３に示すレンズ筐体の斜視分解図である。
【発明を実施するための形態】
【００２０】
以下、本発明の第１実施形態による撮像装置について図面を参照しながら、詳細に説明する。なお、以下の説明では、被写体側を前方といい、結像側は後方という。また、光軸に垂直な平面内において光軸を中心として離間する方向を半径方向外方といい、光軸に近接する方向を半径方向内方という。
【００２１】
図１は、本発明の第１実施形態による撮像装置を示す光軸方向の鉛直断面図である。また、図２は、図１に示す撮像装置の斜視分解図である。なお、図２において一部の部材は省略して示している。
図１及び図２に示すように、撮像装置１は、筐体２と、筐体２が保持するレンズ（透過部材）４と、筐体に保持された撮像部６と、を備える。
【００２２】
筐体２は内部筐体８と、内部筐体８の半径方向外方に設けられた外部筐体１０と、内部筐体８の前方に取り付けられたレンズ保持枠１２と、外部筐体１０の後方を閉鎖する後方部材１４と、覆い部材１６と、を備える。
【００２３】
内部筐体８は、円筒状の側面部８Ａと、側面部８Ａの前縁から半径方向内方に延びる前面部８Ｂと、を備える。前面部８Ｂには、円形の開口が設けられており、開口の周囲にはレンズ保持枠１２が前方から嵌め込まれている。レンズ保持枠１２は、保持枠本体１２Ａと、押え部材１２Ｂとを備える。保持枠本体１２Ａは、円形の開口を備え、この開口の周縁部には環状の平坦な座部１２Ａ１が形成されている。また、保持枠本体１２Ａの座部１２Ａ１の周囲には、前方側に突出する円筒状の凸部１２Ａ２が形成されている。押え部材１２Ｂは、円筒状の本体部１２Ｂ１と、本体部１２Ｂ１から半径方向内方に延びる円環状の押え部１２Ｂ２とを有する。レンズ４の後面の外周部が座部１２Ａ１に当接するようにレンズ４を載置し、押え部材１２Ｂの本体部１２Ｂ１を保持枠本体１２Ａの凸部１２Ａ２の外周に嵌め込むことにより、レンズ４の周縁部が保持枠本体１２Ａの座部１２Ａ１と、押え部材１２Ｂの押え部１２Ｂ２との間に挟まれて、レンズ４がレンズ保持枠１２に保持されている。
【００２４】
外部筐体１０は、円筒状の側面部１０Ａと、側面部１０Ａの前縁から半径方向内方に延びる前面部１０Ｂと、を備える。前面部１０Ｂには円形の開口が設けられており、この開口の縁によりレンズ保持枠１２の保持枠本体１２Ａが保持されている。
【００２５】
後方部材１４は板状の部材であり、中心に矩形状の開口が形成されている。また、覆い部材１６は板状の部材からなり、中央に矩形状の台部１６Ａが形成されている。
【００２６】
撮像部６は、撮像素子６Ａと、一対の取付部材６Ｂとを有する。撮像素子６Ａは、例えば、ＣＣＤやＣＭＯＳであり、撮像素子６Ａは、レンズ４と光軸方向に整列するように配置されている。撮像素子６Ａは処理装置（図示せず）に電気的に接続されており、処理装置は撮像素子６Ａからの出力信号を処理して画像信号を記憶する。撮像装置１を起動すると撮像素子６Ａに電力が供給され、これにより撮像素子６Ａが発熱する。
【００２７】
取付部材（放熱部材）６Ｂは、例えば、アルミからなり、平坦な基端部６Ｂ１と、基端部６Ｂ１の半径方向内方の縁から前方に延びる延出部６Ｂ２と、延出部６Ｂ２の前縁から半径方向内方に延びる押え部６Ｂ３と、を有する。取付部材６Ｂは、それぞれ、延出部６Ｂ２が後方部材１４の開口の上縁及び下縁に沿うように配置され、基端部６Ｂ１が後方部材１４の後面と、覆い部材１６の前面との間に挟み込まれることにより固定されている。撮像素子６Ａは、覆い部材１６の台部１６Ａの前面上に載置され、上下縁部が取付部材６Ｂの押え部６Ｂ３の後面と、台部１６Ａの前面とにより挟みこまれることにより、保持されている。取付部材６Ｂは、撮像素子６Ａを保持するのみではなく、撮像素子６Ａから伝熱された熱を放熱する放熱部材としても機能する。なお、本実施形態では、取付部材６Ｂは熱伝導部材１８と別体として構成しているが、熱伝導部材１８と一体形成してもよい。また、本実施形態では、取付部材６Ｂが放熱部材として機能するが、これに限らず、覆い部材１６や台部１６Ａをアルミなどで構成して放熱部材として機能させてもよい。この場合、熱伝導部材１８を覆い部材１６又は台部１６Ａに接続してもよい。
【００２８】
撮像装置１は、さらに、レンズ４と、撮像部６とを結ぶように設けられた熱伝導部材１８を備える。熱伝導部材１８は、レンズ４の後面の外周縁部に当接するように形成された金属ワッシャー２０と、金属ワッシャー２０に接続され、撮像部６の取付部材６Ｂまで延びる一対の熱伝導材２２と、を備える。
【００２９】
金属ワッシャー２０は、鉄やステンレスなどの金属からなり、円環状の円環部２０Ａと、円環部２０Ａの上下から後方に延出する一対の延出部２０Ｂと、を有する。金属ワッシャー２０は、円環部２０Ａがレンズ４の後面の外周縁部と、レンズ保持枠１２の座部１２Ａ１との間に挟み込まれて保持されている。
【００３０】
熱伝導材２２は、フレキシブルプリント基板、又は、グラファイトシートからなる帯状の部材である。フレキシブルプリント基板、又は、グラファイトシートはシート状の部材であり、熱伝導率が高く、可撓性が高く、所望の形状に容易に加工することができる。熱伝導材２２は、光軸方向に延びる前方部２２Ａと、前方部２２Ａの後端から半径方向外方に延びる第１の半径方向延在部２２Ｂと、第１の半径方向延在部２２Ｂの外方端部から光軸方向後方に延びる光軸方向延在部２２Ｃと、光軸方向延在部２２Ｃの後方端部から半径方向内方に延びる第２の半径方向延在部２２Ｄとを有する。前方部２２Ａは、先端部が金属ワッシャー２０の延出部２０Ｂに接続されており、保持枠本体１２Ａの開口の縁に沿うように光軸方向に延びている。第１の半径方向延在部２２Ｂは、内部筐体８の前面部８Ｂの後面に沿って半径方向に上下に延在している。光軸方向延在部２２Ｃは内部筐体８の側面部８Ａに沿って光軸方向に延在している。第２の半径方向延在部２２Ｄは後方部材１４の前面に沿って半径方向に上下に延在しており、第２の半径方向延在部２２Ｄの半径方向内端部は撮像部６の取付部材６Ｂに当接するように取り付けられている。
【００３１】
本実施形態では、一対の熱伝導材２２を、内部筐体８の内部空間の上部及び下部を延びるように設けているが、熱伝導材の数はこれに限られない。ただし、金属ワッシャー２０に均等に熱が伝達されるように、複数本の熱伝導材を設けることが好ましく、複数本の熱伝導材を設ける場合には、光軸を中心として等角度間隔で設けられるのが好ましい。また、本実施形態では、撮像部６の取付部材６Ｂに熱伝導材２２の端部を接続しているが、これに限らず、撮像素子６Ａに接続してもよい。
【００３２】
このような構成の撮像装置を起動すると、撮像素子６Ａが供給される電力により発熱する。撮像素子６Ａが発した熱は、取付部材６Ｂを介して熱伝導材２２に伝達される。熱伝導材２２に伝達された熱は金属ワッシャー２０まで到達し、金属ワッシャー２０を介してレンズ４の外周部に伝達される。これにより、撮像素子６Ａの発した熱によりレンズ４を加熱することができる。
【００３３】
第１実施形態による撮像装置１によれば、以下の効果が奏される。
撮像装置１がレンズ４と、撮像部６とを結ぶように設けられた熱伝導部材１８を備えるため、使用時には撮像素子６Ａが発熱し、この熱が熱伝導部材１８を介していてレンズ４まで到達する。これにより、バッテリーの電力を使用することなく、レンズ４を加熱して防曇することができる。また、撮像素子６Ａの熱がレンズ４に逃げるため、撮像素子６Ａにおける発熱に起因する熱ノイズを防ぐこともできる。
【００３４】
また、本実施形態では、熱伝導部材１８は、フレキシブルプリント基板、又は、グラファイトシートからなる、熱伝導材２２を有する。フレキシブルプリント基板、又は、グラファイトシートは熱伝導性が高いため、撮像部６で発生した熱を確実にレンズ４に伝達することができる。
【００３５】
また、本実施形態では、熱伝導部材１８は、レンズ４の周縁部に当接する金属ワッシャー２０を有する。これにより、レンズ４を周縁部から環状に加熱することができ、均等な加熱が可能になる。
【００３６】
また、本実施形態では、撮像部６は、撮像素子６Ａに取り付けられ、放熱部材として機能する取付部材６Ｂを有し、熱伝導部材１８の熱伝導材２２は、取付部材６Ｂに当接して設けられている。これにより、撮像素子６Ａの熱を確実にレンズ４に伝達できるとともに、撮像素子６Ａが過剰に高温になるのを防止できる。
【００３７】
なお、上記実施形態では、レンズを一枚のみ備えた撮像装置に本発明を適用した場合について説明したが、これに限らず、複数のレンズからなる光学系を有する撮像装置にも本発明を適用できる。この場合、複数のレンズのそれぞれと、撮像部とを結ぶように熱伝導部材を設けてもよいし、何れかのレンズと撮像部とを結ぶように熱伝導部材を設けてもよい。ただし、複数のレンズからなる光学系を有する撮像装置に本発明を適用する場合には、前玉（最も被写体側のレンズ）と、撮像部とを結ぶように熱伝導部材を設けるのが好ましい。また、撮像装置がレンズの前方にガラス板等を有している場合には、このガラス板と撮像部とを結ぶように熱伝導部材を設けるのが好ましい。曇りは、最も被写体側に配置される透過部材に最も発生しやすい。これに対して、前玉と、撮像部とを結ぶように熱伝導部材を設けることにより、より効率よく防曇できる。
【００３８】
次に、本発明の第２実施形態によるレンズ鏡筒について説明する。
図３は、本発明の第２実施形態によるレンズ鏡筒と、カメラ本体とからなる撮像装置を示す水平断面図である。また、図４は、図３に示すレンズ筐体の斜視分解図である。なお、図４において一部の部材は省略して示している。
【００３９】
図３及び図４に示すように、第２実施形態によるレンズ鏡筒１０１はカメラ本体（撮像装置本体）１５０に取り付けられて用いられるものである。撮像装置１００は、カメラ本体１５０と、このカメラ本体１５０に取り付けられるレンズ鏡筒１０１とを備える。
【００４０】
カメラ本体１５０は、カメラ筐体１５２と、撮像部１５４と、カメラ側マウント１５６を備える。カメラ筐体１５２は、内部に空洞１５２Ａを有し、この空洞１５２Ａ内に撮像部１５４が配置されている。カメラ筐体１５２の前方には開口１５２Ｂが形成されており、この開口１５２Ｂの縁にカメラ側マウント１５６が設けられている。
【００４１】
撮像部１５４は撮像素子を有し、レンズ１０６と光軸方向に整列するように保持されている。撮像素子は、例えば、ＣＣＤやＣＭＯＳである。撮像素子は処理装置（図示せず）に電気的に接続されており、処理装置は撮像素子からの出力信号を処理して画像信号を記憶する。カメラ本体１５０を起動すると撮像素子には電力が供給され、これにより発熱する。
カメラ側マウント１５６は、カメラ筐体１５２の開口１５２Ｂの縁に設けられおり、後述するレンズ鏡筒１０１のレンズ側マウント１０４と対応する形状になっている。
【００４２】
レンズ鏡筒１０１は、筒体１０２と、筒体１０２の後端部に設けられたレンズ側マウント１０４と、筒体１０２の前端部に設けられたレンズ（光透過部材）１０６とを備える。
筒体１０２は、内筒１０８と、内筒１０８の半径方向外方に設けられた外筒１１０と、内筒１０８の前方に取り付けられたレンズ保持枠１１２と、を備える。
【００４３】
レンズ保持枠１１２は、保持枠本体１１２Ａと、押え部材１１２Ｂとを備える。保持枠本体１１２Ａは、円形の開口を備え、この開口の周縁部には半径方向内方に向かって突出する座部１１２Ａ１が形成されている。押え部材１１２Ｂは円環状に形成されている。
【００４４】
内筒１０８は、円筒状の側面部１０８Ａと、側面部１０８Ａの前縁から半径方向内方に延びる前面部１０８Ｂと、を備える。前面部１０８Ｂには、円形の開口が設けられており、前面部１０８Ｂの前面の開口の周囲にはレンズ保持枠１１２の保持枠本体１１２Ａの後面が当接している。
【００４５】
外筒１１０は、円筒状の側面部１１０Ａと、側面部１１０Ａの前端部において半径方向内方に延びる座部１１０Ｂと、を備える。座部１１０Ｂは円環状に形成されている。押え部材１１２Ｂは、押え部材１１２Ｂの後面が座部１１０Ｂの前面に当接するように外筒１１０の前端部に嵌め込まれることにより、外筒１１０に固定されている。
【００４６】
レンズ１０６を後面の外周部が当接するように保持枠本体１１２Ａの座部１１２Ａ１に載置し、押え部材１１２Ｂを外筒１１０の先端部内に嵌め込むことにより、レンズ１０６の周縁部が保持枠本体１１２Ａの座部１１２Ａ１と、押え部材１１２Ｂの内周縁との間に挟まれてレンズ１０６が保持されている。
【００４７】
レンズ側マウント１０４は内筒１０８の後端部に接続されている。カメラ本体１５０のカメラ側マウント１５６の内側に、レンズ鏡筒１０１のレンズ側マウント１０４を嵌合させることにより、レンズ鏡筒１０１をカメラ本体１５０に固定することができる。
【００４８】
レンズ鏡筒１０１は、さらに、レンズ１０６と、レンズ側マウント１０４とを結ぶように設けられた熱伝導部材１１８を備える。
熱伝導部材１１８は、レンズ１１６の後面の外周縁部に当接するように形成された金属ワッシャー１２０と、金属ワッシャー１２０に接続され、レンズ側マウント１０４まで延びる熱伝導材１２２と、を備える。
【００４９】
金属ワッシャー１２０は、鉄やステンレスなどの金属からなる円環状の部材であり、レンズ１０６の後面の外周縁部と、保持枠本体１１２Ａの座部１１２Ａ１との間に挟み込まれている。
【００５０】
熱伝導材１２２は、フレキシブルプリント基板、又は、グラファイトシートからなる帯状の部材である。フレキシブルプリント基板、又は、グラファイトシートはシート状の部材であり、熱伝導率が高く、可撓性が高く、所望の形状に容易に加工することができる。熱伝導材１２２は、光軸方向に延びる前方部１２２Ａと、前方部１２２Ａの後端から半径方向外方に延びる第１の半径方向延在部１２２Ｂと、第１の半径方向延在部１２２Ｂの外方端部から光軸方向後方に延びる光軸方向延在部１２２Ｃと、光軸方向延在部１２２Ｃの後方端部から半径方向内方に延びる第２の半径方向延在部１２２Ｄとを有する。前方部１２２Ａは、先端部が金属ワッシャー１２０の延出部１２０Ｂに接続されており、前方部１２２Ａは保持枠本体１１２Ａの開口に沿うように光軸方向に延びている。第１の半径方向延在部１２２Ｂは、内筒１０８の前面部１０８Ｂの後面に沿って半径方向に左右に延在している。光軸方向延在部１２２Ｃは内筒１０８の側面部１０８Ａに沿って光軸方向に延在している。第２の半径方向延在部１２２Ｄはレンズ側マウント１０４の前面に沿って半径方向に左右に延在しており、第２の半径方向延在部１２２Ｄの半径方向内端部はレンズ側マウント１０４に接続されている。
【００５１】
本実施形態では、一対の熱伝導材１２２を、内筒１０８の内部空間の両側部を延びるように設けているが、熱伝導部材の数はこれに限られない。ただし、金属ワッシャー１２０に均等に熱が伝達されるように、複数本の熱伝導材を設けることが好ましく、複数本の熱伝導材を設ける場合には、光軸を中心として等角度間隔で設けられるのが好ましい。
【００５２】
このような構成の撮像装置１００を起動すると、撮像部１５４の撮像素子が供給される電力により発熱する。撮像部１５４の撮像素子が発熱すると、放射熱によりカメラ側マウント１５６が加熱される。カメラ側マウント１５６の熱はレンズ側マウント１０４に伝達され、１２２熱伝導材に伝達される。熱伝導材１２２に伝達された熱は、金属ワッシャー１２０に伝わり、さらに、金属ワッシャー１２０を介してレンズ１０６の外周部に伝達される。これにより、撮像素子の発した熱によりレンズ１０６を加熱することができる。
【００５３】
以上説明したように、本発明の第２実施形態によるレンズ鏡筒１０１によれば、以下の効果が奏される。
本実施形態のレンズ鏡筒１０１は、レンズ側マウントと１０４、レンズ１０６とを結ぶように設けられた熱伝導部材１１８を備える。これにより、使用時に撮像部１５４の撮像素子が発熱すると、この熱を受けてレンズ側マウント１０４が加熱される。そして、レンズ側マウント１０４が受けた熱が熱伝導部材１１８を介していてレンズ１０６まで到達する。これにより、バッテリーの電力を使用することなく、レンズ１０６を加熱して防曇することができる。
【００５４】
また、本実施形態によれば、熱伝導部材１１８は、フレキシブルプリント基板、又は、グラファイトシートからなる熱伝導材１２２を有する。フレキシブルプリント基板、又は、グラファイトシートは熱伝導性が高いため、撮像部で発生した熱を確実にレンズ１０６に伝達することができる。
【００５５】
また、本実施形態では、熱伝導部材１１８は、レンズ１０６の周縁部に当接する金属ワッシャー１２０を有する。これにより、レンズ１０６を周縁部から環状に加熱することができ、均等な加熱が可能になる。
【００５６】
なお、上記実施形態では、レンズを一枚のみ備えたレンズ鏡筒に本発明を適用した場合について説明したが、これに限らず、複数のレンズからなる光学系を有するレンズ鏡筒にも本発明を適用できる。この場合、複数のレンズのそれぞれと、レンズ側マウントとを結ぶように熱伝導部材を設けてもよいし、何れかのレンズとレンズ側マウントとを結ぶように熱伝導部材を設けてもよい。ただし、複数のレンズからなる光学系を有する撮像装置に本発明を適用する場合には、前玉（最も被写体側のレンズ）と、レンズ側マウントとを結ぶように熱伝導部材を設けるのが好ましい。また、撮像装置がレンズの前方にガラス板等を有している場合には、このガラス板とレンズ側マウントとを結ぶように熱伝導部材を設けるのが好ましい。曇りは、最も被写体側に配置される透過部材に最も発生しやすい。これに対して、前玉と、レンズ側マウントとを結ぶように熱伝導部材を設けることにより、より効率よく防曇できる。
【符号の説明】
【００５７】
１          撮像装置
２          筐体
４          レンズ
６          撮像部
６Ａ        撮像素子
６Ｂ        取付部材
６Ｂ１      基端部
６Ｂ２      延出部
６Ｂ３      押え部
８          内部筐体
８Ａ        側面部
８Ｂ        前面部
１０        外部筐体
１０Ａ      側面部
１０Ｂ      前面部
１２        レンズ保持枠
１２Ａ      保持枠本体
１２Ａ１    座部
１２Ａ２    凸部
１２Ｂ      押え部材
１２Ｂ１    本体部
１２Ｂ２    押え部
１４        後方部材
１６        覆い部材
１６Ａ      台部
１８        熱伝導部材
２０        金属ワッシャー
２０Ａ      円環部
２０Ｂ      延出部
２２        熱伝導材
２２Ａ      前方部
２２Ｂ      第１の半径方向延在部
２２Ｃ      光軸方向延在部
２２Ｄ      第２の半径方向延在部
１００      撮像装置
１０１      レンズ鏡筒
１０２      筒体
１０４      レンズ側マウント
１０６      レンズ
１０８      内筒
１０８Ａ    側面部
１０８Ｂ    前面部
１１０      外筒
１１０Ａ    側面部
１１０Ｂ    座部
１１２      レンズ保持枠
１１２Ａ    保持枠本体
１１２Ａ１  座部
１１２Ｂ    押え部材
１１６      レンズ
１１８      熱伝導部材
１２０      金属ワッシャー
１２０Ｂ    延出部
１２２      熱伝導材
１２２Ａ    前方部
１２２Ｂ    第１の半径方向延在部
１２２Ｃ    光軸方向延在部
１２２Ｄ    第２の半径方向延在部
１５０      カメラ本体
１５２      カメラ筐体
１５２Ａ    空洞
１５２Ｂ    開口
１５４      撮像部
１５６      カメラ側マウント
【図１】
2020136747.tif 000003
【図２】
2020136747.tif 000004
【図３】
2020136747.tif 000005
【図４】
2020136747.tif 000006